(57)【要約】【課題】電線の集束作業性が良いコネクタを提供する。【解決手段】電線Ｗに接続された複数の端子４を装着するコネクタハウジング２と、コネクタハウジング２に装着された電線固定部材１０と、コネクタハウジング２に装着可能であり、装着状態では、コネクタハウジング２より引き出された複数の電線Ｗを電線固定部材との間で所望の方向に導き、且つ、集束状態で保持する電線カバー２０とを備えた。【選択図】図１
2011233405.tif 000002
【特許請求の範囲】
【請求項１】
電線に接続された複数の端子を装着するコネクタハウジングと、前記コネクタハウジングに設けられた電線固定部材と、前記コネクタハウジングに装着可能で、装着状態では前記コネクタハウジングより引き出された複数の前記電線を前記電線固定部材との間で所望の方向に導き、且つ、集束状態で保持する電線カバーとを備えたことを特徴とするコネクタ。
【請求項２】
請求項１記載のコネクタであって、
前記電線固定部材は、前記電線カバーに対して遠近方向に可動可能で、且つ、所望の位置で前記コネクタハウジングに固定できることを特徴とするコネクタ。
【請求項３】
請求項１又は請求項２記載のコネクタであって、
前記電線固定部材は、前記コネクタハウジングに着脱自在であり、前記電線を曲げるカーブ面の曲げ率が異なる複数種類の内からいずれかを選択して使用することを特徴とするコネクタ。
【発明の詳細な説明】
【技術分野】
【０００１】
本発明は、コネクタハウジングより引き出された複数の電線を集束させて保持するコネクタに関する。
【背景技術】
【０００２】
この種のコネクタは、従来より種々提案されている（例えば、特許文献１〜特許文献３参照）。かかるコネクタの一従来例が図８〜図１０に示されている。図８〜図１０において、コネクタ５０は、コネクタハウジング５１とこれの裏面側の側方に突設された電線固定部６０とを有する。コネクタハウジング５１の表面側には、相手端子が装着される複数の相手端子装着部（図示せず）が設けられている。コネクタハウジング５１の裏面側には、複数の端子収容部５２が設けられている。各端子収容部５２には、各電線Ｗに接続された複数の端子５３がそれぞれ装着されている。コネクタハウジング５１に端子５３が装着された各電線Ｗは、コネクタハウジング５１の裏面側より引き出される。コネクタハウジング５１より引き出された複数の電線Ｗは、ほぼ直角方向に折り曲げられることによって電線固定部６０に沿う方向（所望の方向）に導かれている。この導かれた複数の電線Ｗは、集束状態でハーネステープ６１によって電線固定部６０に巻き付け固定されている。
【０００３】
この従来のコネクタ５０によれば、引き出された複数の電線Ｗが所望の方向に導かれ、且つ、集束されているため、車両への電線配策作業性等が良い。
【先行技術文献】
【特許文献】
【０００４】
【特許文献１】特開２００５−１４９９４１号公報
【特許文献２】特開２００９−１４０８０８号公報
【特許文献３】特開平６−２２３９１８号公報
【発明の概要】
【発明が解決しようとする課題】
【０００５】
しかしながら、前記従来のコネクタ５０では、コネクタハウジング５１より引き出された複数の電線Ｗを所望の方向に導き、且つ、電線固定部６０の位置で電線Ｗを集束させつつハーネステープ６１を巻き付ける作業を行う必要がある。従って、電線Ｗの集束作業性が悪いという問題がある。
【０００６】
そこで、本発明は、前記した課題を解決すべくなされたものであり、電線の集束作業性が良いコネクタを提供することを目的とする。
【課題を解決するための手段】
【０００７】
請求項１の発明は、電線に接続された複数の端子を装着するコネクタハウジングと、前記コネクタハウジングに設けられた電線固定部材と、前記コネクタハウジングに装着可能で、装着状態では前記コネクタハウジングより引き出された複数の前記電線を前記電線固定部材との間で所望の方向に導き、且つ、集束状態で保持する電線カバーとを備えたことを特徴とする。
【０００８】
請求項２の発明は、請求項１記載のコネクタであって、前記電線固定部材は、前記電線カバーに対して遠近方向に可動可能で、且つ、所望の位置で前記コネクタハウジングに固定できることを特徴とする。
【０００９】
請求項３の発明は、請求項１又は請求項２記載のコネクタであって、前記電線固定部材は、前記コネクタハウジングに着脱自在であり、前記電線を曲げるカーブ面の曲げ率が異なる複数種類の内からいずれかを選択して使用することを特徴とする。
【発明の効果】
【００１０】
請求項１の発明によれば、コネクタハウジングより引き出された複数の電線を電線カバーの範囲内に収めた状態で電線カバーをコネクタハウジングに装着すれば、複数の電線が電線カバーと電線固定部材によって所望の方向に導かれ、且つ、集束される。従って、電線の集束作業性が良い。
【００１１】
請求項２の発明によれば、電線束の大きさに応じて電線固定部材の固定位置を可変できるため、電線束の大きさに対応可能である。
【００１２】
請求項３の発明によれば、電線を無理なく曲げた時の曲率の違いに応じてカーブ面の曲率の異なる電線固定部材に可変できるため、曲率の異なる電線に対応可能である。
【図面の簡単な説明】
【００１３】
【図１】本発明の一実施形態を示し、裏面側から見たコネクタの分解斜視図である。
【図２】本発明の一実施形態を示し、裏面側から見たコネクタの斜視図である。
【図３】本発明の一実施形態を示し、コネクタハウジングに端子を装着する過程を示す斜視図である。
【図４】本発明の一実施形態を示し、コネクタの要部断面図である。
【図５】本発明の一実施形態を示し、（ａ）は図４のＡ−Ａ線断面図、（ｂ）は図４のＢ−Ｂ線断面図である。
【図６】本発明の一実施形態を示し、コネクタの要部断面図である。
【図７】本発明の一実施形態を示し、図６のＣ部拡大図である。
【図８】従来例を示し、コネクタハウジングに端子を装着する過程を示す斜視図である。
【図９】従来例を示し、裏面側から見たコネクタの斜視図である。
【図１０】従来例のコネクタの平面図である。
【発明を実施するための形態】
【００１４】
以下、本発明の一実施形態を図面に基づいて説明する。
【００１５】
図１〜図７は、本発明の一実施形態を示す。コネクタ１は、図１〜図４に示すように、コネクタハウジング２と、このコネクタハウジング２の裏面側に設けられた電線固定部材１０と、コネクタハウジング２の裏面側に装着された電線カバー２０とを備えている。
【００１６】
コネクタハウジング２の表面側には、相手端子（図示せず）が装着される複数の相手端子装着部（図示せず）が設けられている。コネクタハウジング２の裏面側には、複数の端子収容部３が設けられている。各端子収容部３には、複数の電線Ｗに接続された各端子４がそれぞれ装着される。コネクタハウジング２に端子４が装着された各電線Ｗは、コネクタハウジング２の裏面側より引き出される。
【００１７】
コネクタハウジング２の一方の側面には、ロック受け部５が設けられている。ロック受け部５は、図５（ａ）に詳しく示すように、電線固定部材１０の係止ロック部１２がスライド挿入されるスライド室６を有する。スライド室６の両壁面の左右対向位置には、一対の係止溝７が設けられている。一対の係止溝７は、スライド方向Ｓに沿って複数箇所に設けられている。スライド方向Ｓは、電線固定部材１０の電線集束部１１が電線カバー２０の電線集束部２２に対して遠くなったり、近くなったりする方向（遠近方向）に設定されている。
【００１８】
コネクタハウジング２の上下面には、保護カバー２０用の係止爪８が複数箇所に設けられている。
【００１９】
電線固定部材１０は、コネクタハウジング２とは別部材であり、コネクタハウジング２に着脱自在に設けられている。電線固定部材１０は、電線Ｗを集束させる電線集束部１１と、この電線集束部１１に一体に設けられた係止ロック部１２とから構成されている。電線集束部１１は、湾曲状の底面部１１ａと、この底面部１１ａの両側よりストレートに前方に突出された一対の側面部１１ｂとを備えている。湾曲状の底面部１１ａは、カーブ面１３を有する。電線Ｗは、カーブ面１３に沿って曲げられる。
【００２０】
係止ロック部１２は、図５（ａ）に示すように、左右対向位置に突出された一対の係止爪１２ａを有する。各係止爪１２ａは、各逃げ孔１２ｂによって反突出方向（退出方向）に弾性変形可能に設けられている。一対の係止爪１２ａは、この弾性変形を利用してロック受け部５の各係止溝７の位置に選択的に係止できる。これにより、電線固定部材１０は、電線カバー２０の電線集束部２２に対して遠近方向（スライド方向Ｓ）に可動可能で、且つ、一対の係止爪１２ａがロック受け部５の各係止溝７に係止できる位置でコネクタハウジング２に固定できる。つまり、電線固定部材１０は、図４及び図５のＭ範囲を可動範囲とし、この可動範囲内の５ポジションで固定できる。
【００２１】
また、電線固定部材１０は、電線Ｗを曲げるカーブ面１３の曲げ率が異なる複数種類のものが用意されている。電線固定部材１０は、この複数種類の内から選択して使用される。この実施形態では、図１〜図５に示す電線固定部材１０と、図６及び図７に示す電線固定部材１０Ａの二種類が用意されている。図１〜図５に示す電線固定部材は、絶縁被覆が薄肉である細物電線に対応する大きな曲げ率のカーブ面１３を有し、図６及び図７に示す電線固定部材１０Ａは、絶縁被覆が厚肉である太物電線に対応する小さな曲げ率のカーブ面１３ａ（図７に示す）を有する。図４では電線Ｗとして細物電線を使用した場合を、図６では電線Ｗとして太物電線を使用した場合を示してあるが、符号はいずれもＷを付してある。図７では、細物電線には符号ｗ１、太物電線には符号ｗ２を付して明確化を図っている。
【００２２】
電線カバー２０は、湾曲されたカバー本体部２１と、このカバー本体部２１の先端側に一体に設けられた電線集束部２２とを備えている。カバー本体部２１の複数箇所には、係止部２３が設けられている。各係止部２３には係止孔２３ａが形成されている。この各係止部２３の係止孔２３ａにコネクタハウジング２の各係止爪８を係止されている。この係止力によって、電線カバー２０はコネクタハウジング２に装着されている。
【００２３】
カバー本体部２１は、コネクタハウジング２より引き出された複数の電線Ｗをほぼ直角方向に折り曲げている。折り曲げた複数の電線Ｗは、電線集束部２２に沿う方向（所望の方向）に導びかれている。電線集束部２２は、ほぼ半円弧状であり、電線カバー２０がコネクタハウジング２に装着された状態では、電線固定部材１０の電線集束部１１に対向配置される。そして、双方の電線集束部１１，２２は、複数の電線Ｗを集束させた状態で保持する。
【００２４】
次に、コネクタ１の組み付け手順を説明する。図１に示すように、先ず、コネクタハウジング２のロック受け部５に電線固定部材１０を装着する。電線固定部材１０の装着位置は、集束する複数の電線Ｗ（電線束）の大きさに対応する位置とする。次に、コネクタハウジング２の裏面側の各端子収容部３に、各電線Ｗに接続された複数の端子４を装着する。これにより、コネクタハウジング２の裏面側より複数の電線Ｗが引き出された状態となる。次に、コネクタハウジング２より引き出された複数の電線Ｗを電線カバー２０の内面側に収めつつ、電線カバー２０をコネクタハウジング２の裏面側に装着する。この装着過程で、電線カバー２０のカバー本体部２１の内面にガイドされて複数の電線が所望の方向に曲げられる。又、電線カバー２０の電線集束部２２が電線固定部材１０の電線集束部１１に徐々に近接し、双方の電線集束部１１，２２によって複数の電線Ｗが集束される。電線カバー２０が完全に装着されると、図５（ｂ）に示すように、双方の電線集束部１１，２２によって複数の電線Ｗが集束された状態で保持される。これで、組み付けが完了する。
【００２５】
以上説明したように、コネクタ１は、電線Ｗに接続された複数の端子４を装着するコネクタハウジング２と、コネクタハウジング２に設けられた電線固定部材１０と、コネクタハウジング２に装着可能で、装着状態ではコネクタハウジング２より引き出された複数の電線Ｗを電線固定部材１０との間で所望の方向に導き、且つ、集束状態で保持する電線カバー２０とを備えている。従って、コネクタハウジング２より引き出された複数の電線Ｗを電線カバー２０の範囲内に収めた状態で電線カバー２０をコネクタハウジング２に装着すれば、複数の電線Ｗが電線カバー２０と電線固定部材１０によって所望の方向に導かれ、且つ、集束する。以上より、従来例のようにハーネステープで複数の電線Ｗを集束状態で電線固定部６０に巻き付けるような面倒な作業が必要なく、電線Ｗの集束作業性が向上する。
【００２６】
電線固定部材１０は、電線カバー２０の電線集束部２２に対して遠近方向に可動可能で、且つ、所望の位置でコネクタハウジング２に固定できる。従って、集束する電線束の大きさに応じて電線固定部材１０の固定位置を可変できるため、複数の電線束の大きさに対応可能である。
【００２７】
また、従来例では、電線固定位置が一定であり、コネクタハウジング５１に対する高さも変更できないため、車両レイアウトによっては電線を集束できない可能性があった。しかし、本実施形態では、電線固定位置を変更可能であり、コネクタハウジング２に対する高さも可動範囲内に限り変更できるため、車両レイアウトにも対応可能である。
【００２８】
電線固定部材１０は、コネクタハウジング２に着脱自在であり、電線Ｗを曲げるカーブ面１３の曲げ率が異なる複数種類の内からいずれかを選択して使用できる。従って、電線Ｗを無理なく曲げた時の曲率の違いに応じてカーブ面１３の曲率の異なる電線固定部材１０，１０Ａに可変できるため、曲率の異なる電線Ｗに対応可能である。細物電線ｗ１（図７に示す）と太物電線ｗ２（図７に示す）では無理なく曲げた時の曲率が異なり、細物電線ｗ１と太物電線ｗ２の双方に対応可能である。つまり、従来例では、電線固定部６０の位置が一定であり、電線の種類に係わらずほぼ一律の角度（図１０のＤ部参照）で曲げる必要があったため、電線Ｗに荷重な負荷が掛かる恐れがあったが、本実施形態では、電線Ｗに過重な負荷を掛けないように曲げて所望の向きに導くことができる。
【００２９】
この実施形態では、電線固定部材１０，１０Ａは、太物電線用と細物電線用の二種類であるが、三種類以上を用意しても良いことはもちろんである。
【符号の説明】
【００３０】
１  コネクタ
２  コネクタハウジング
４  端子
１０，１０Ａ  電線固定部材
１３  カーブ面
２０  電線カバー
Ｗ１，Ｗ２  電線
【図１】
2011233405.tif 000003
【図２】
2011233405.tif 000004
【図３】
2011233405.tif 000005
【図４】
2011233405.tif 000006
【図５】
2011233405.tif 000007
【図６】
2011233405.tif 000008
【図７】
2011233405.tif 000009
【図８】
2011233405.tif 000010
【図９】
2011233405.tif 000011
【図１０】
2011233405.tif 000012